【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
インバータ段と、
前記インバータ段の出力を受け、少なくとも１つの誘電体バリア放電セルに電力を供給するための信号を出力する共振タンクと、
前記インバータ段にソフトスイッチングのための位相シフトを含むスイッチング信号を供給するゲートドライバ、及び
パルス幅変調（ＰＷＭ）を行うためにスイッチング周波数のデューティサイクルを調整するための第１の信号を受信するように構成された第１の入力及び周波数変調（ＦＭ）を行うためにＰＷＭコントローラのクロック周波数時定数を調整するための第２の信号を受信するように構成された第２の入力を有する、前記ゲートドライバに対する前記スイッチング周波数を生成するための前記ＰＷＭコントローラ
を含む制御回路と
を具備する誘電体バリア放電の電力系統であって、
前記制御回路は、前記誘電体バリア放電の電力系統からフィードバック信号を受信し、前記フィードバック信号を用いて、前記誘電体バリア放電の電力系統の負荷又はライン値にしたがって前記第１の信号及び前記第２の信号を生成する
誘電体バリア放電の電力系統。
【請求項２】
請求項１に記載の誘電体バリア放電の電力系統であって、
前記インバータ段は、フルブリッジとして配置された４つのトランジスタを含む
誘電体バリア放電の電力系統。
【請求項３】
請求項２に記載の誘電体バリア放電の電力系統であって、
前記４つのトランジスタは、絶縁ゲートバイポーラトランジスタ（ＩＧＢＴ）である
誘電体バリア放電の電力系統。
【請求項４】
請求項１に記載の誘電体バリア放電の電力系統であって、
前記共振タンクからの前記少なくとも１つの誘電体バリア放電セルに電力を供給するための信号を増幅させる変圧器をさらに含む
誘電体バリア放電の電力系統。
【請求項５】
請求項１に記載の誘電体バリア放電の電力系統であって、
前記スイッチング周波数は、２０ｋＨｚ以上４０ｋＨｚ以下の範囲にある
誘電体バリア放電の電力系統。
【請求項６】
請求項１に記載の誘電体バリア放電の電力系統であって、
前記スイッチング周波数は、前記共振タンクの共振周波数より高くなるように構成される
誘電体バリア放電の電力系統。
【請求項７】
請求項１に記載の誘電体バリア放電の電力系統であって、
前記フィードバック信号は、前記インバータ段の出力で電流センサから受信した測定電流信号を含む
誘電体バリア放電の電力系統。
【請求項８】
請求項７に記載の誘電体バリア放電の電力系統であって、
全負荷状態において、前記測定電流信号を電流設定点の値と比較し、比較結果のエラー値は、前記第１の信号により前記スイッチング周波数の前記デューティサイクルを調整して前記測定電流が前記電流設定点の値に達するまで前記ＰＷＭを行い、さらに、前記第２の信号により前記クロック周波数時定数を調整して前記ＦＭを行い、
前記制御回路は、前記誘電体バリア放電の電力系統が全負荷状態から軽負荷状態で動作する際に、電力変化を制御するために前記ＰＷＭ及び前記ＦＭに重量が与えられるように構成される。
誘電体バリア放電の電力系統。
【請求項９】
請求項７に記載の誘電体バリア放電の電力系統であって、
前記制御回路は、前記第１の信号及び前記第２の信号を生成するための電流制御ループを含み、前記電流制御ループは、前記インバータ段の出力で感知された前記測定電流信号及び電流設定点を利用する
誘電体バリア放電の電力系統。
【請求項１０】
請求項９に記載の誘電体バリア放電の電力系統であって、
前記電流制御ループは、
前記測定電流信号及び前記電流設定点を受信し、前記第１の信号を出力する誤差増幅補償器と、
前記第１の信号を受信し、前記第２の信号を出力する反転増幅器と
を含む
誘電体バリア放電の電力系統。
【請求項１１】
請求項９に記載の誘電体バリア放電の電力系統であって、
前記電流制御ループは
前記測定電流信号及び前記電流設定点を受信し、前記第１の信号を出力する誤差増幅補償器と、
前記測定電流信号の付加信号及び電流設定点を受信し、前記第２の信号を出力する反転増幅器と
を含む
誘電体バリア放電の電力系統。
【請求項１２】
請求項９に記載の誘電体バリア放電の電力系統であって、
前記フィードバック信号は、前記インバータ段に供給された測定直流バス電圧と前記インバータ段に供給された測定直流バス電流との積である入力電力信号をさらに含み、
前記電流制御ループは、
前記測定電流及び前記電流設定点を受信し、前記第１の信号を出力する誤差増幅補償器と、
前記入力電力信号を受信し、前記第２の信号を出力する反転増幅器と
を含む
誘電体バリア放電の電力系統。
【請求項１３】
請求項９に記載の誘電体バリア放電の電力系統であって、
前記フィードバック信号は、測定直流出力電圧と前記測定電流との積である出力電力信号をさらに含み、
前記電流制御ループは、
前記測定電流及び前記電流設定点を受信し、前記第１の信号を出力する誤差増幅補償器と、
前記出力電力信号を受信し、前記第２の信号を出力する反転増幅器と
誘電体バリア放電の電力系統。
【請求項１４】
請求項９に記載の誘電体バリア放電の電力系統であって、
電力フィードバック信号を供給するためにスケーリングされて乗算される、前記インバータ段に供給された直流バス電圧及び電流の測定値を受信し、
前記電力フィードバック信号を電力設定点に付加し、
前記電流制御ループに対して前記電流設定点を出力するために、前記電力フィードバック信号及び前記電力設定点を用いてデジタル誤差補償を行う
プロセッサをさらに含む
誘電体バリア放電の電力系統。
【請求項１５】
誘電体バリア放電を生成する方法であって、
インバータ段及び少なくとも１つの誘電体バリア放電セルに電力を供給するための共振タンクを提供し、
前記インバータ段に対して、制御回路を利用してソフトスイッチングのための位相シフトを含むスイッチング信号を生成し、電流設定点の値において前記インバータ段の出力電流を維持するために前記スイッチング信号のスイッチング周波数のパルス幅変調（ＰＷＭ）を行い、前記ＰＷＭと並行して、軽付加状態では出力電力を減少させるために前記スイッチング信号のスイッチング周波数を増加させる周波数変調（ＦＭ）を行う
誘電体バリア放電生成方法。
【請求項１６】
請求項１５に記載の誘電体バリア放電生成方法であって、
前記スイッチング信号は、２０ｋＨｚ以上４０ｋＨｚ以下の範囲にある周波数を有する
誘電体バリア放電生成方法。
【請求項１７】
請求項１５に記載の誘電体バリア放電生成方法であって、
前記ＰＷＭを行う工程は、
前記スイッチング周波数のデューティサイクルを調整してＰＷＭを行うための第１の信号を受信するように構成された第１の入力及びＰＷＭコントローラのクロック周波数時定数を調整してＦＭを行うための第２の信号を受信するように構成された第２の入力を有する、ゲートドライバに対して前記スイッチング周波数を生成するための前記ＰＷＭコントローラを提供し、
前記インバータ段の出力電流を感知し
誤差増幅補償により前記出力電流を電流設定点と比較し、
前記誤差増幅補償を前記第１の信号として利用する
誘電体バリア放電生成方法。
【請求項１８】
請求項１７に記載の誘電体バリア放電生成方法であって、
前記ＦＭを行う工程は、
前記第２の信号を出力する反転増幅器を用いて前記誤差増幅補償を反転させる
誘電体バリア放電生成方法。
【請求項１９】
請求項１８に記載の誘電体バリア放電生成方法であって、
前記ＦＭを行う工程は、さらに
前記反転増幅器のゲインを調整する
誘電体バリア放電生成方法。
【請求項２０】
請求項１７に記載の誘電体バリア放電生成方法であって、さらに
電力フィードバック信号を供給するためにスケーリングされて乗算される、前記インバータ段に供給された直流バス電圧の測定値、及び電力フィードバック信号を供給するためにスケーリングされて乗算される、前記インバータ段に供給された直流バス電流の測定値を受信し、
前記電力フィードバック信号を電力設定点に付加し、
前記電流設定点を出力するために、前記電力フィードバック信号及び前記電力設定点を用いてデジタル誤差補償を行う
誘電体バリア放電生成方法。